(57)【要約】【課題】効率的で簡便な構成でありながら携帯が容易な椅子用乳幼児支持具の提供。【解決手段】椅子に着座させた乳幼児の腹部に腹当て部を添えて、その左右両側のベルトを椅子の背もたれの後方に回り込ませた状態で止め具で連結する帯状の椅子用乳幼児支持具において、前記腹当て部は、使用状態において乳幼児の腹部に当接する裏布部材に表布部材が周縁で縫いつけられてこれら両布部材の間に袋部を形成していると共に、該袋部の内外面を裏返すことのできる開口部を有し、前記袋部の内外面を裏返した状態で内部に前記左右ベルトと前記止め具とを収納する収納部を形成するものとした。【選択図】      図１
2005021241.tif 000002
【特許請求の範囲】
【請求項１】
腹当て部と、該腹当て部の左右両側にそれぞれ取り付けられたベルトと、左右のベルトの各端部にベルトの長さ調節可能に取り付けられ、互いに解除可能に嵌合係止する止め具とを備え、椅子に着座させた乳幼児の腹部に前記腹当て部を添えて、所定長さに調節した前記左右のベルトをそれぞれ椅子の背もたれの後方に左右両側から回り込ませた状態で前記止め具を係止状態とすることによって、乳幼児を前記椅子の背もたれに括り付けて着座姿勢を保持する帯状の椅子用乳幼児支持具において、
前記腹当て部は、使用状態において乳幼児の腹部に当接する裏布部材に表布部材が周縁で縫いつけられてこれら両布部材の間に袋部を形成していると共に、該袋部の内外面を裏返すことのできる開口部を有し、前記袋部の内外面を裏返した状態で内部に前記左右ベルトと前記止め具とを収納する収納部を形成するものであることを特徴とする椅子用乳幼児支持具。
【請求項２】
前記開口部には、前記使用状態における袋部と前記裏返し状態における収納部との双方を開閉可能に閉じることのできるファスナー手段が設けられていることを特徴とする請求項１に記載の椅子用乳幼児支持具。
【請求項３】
前記ファスナー手段が、表面側と裏面側の両側からスライダーをスライドできる引き手機構を備えたスライドファスナーであることを特徴とする請求項２に記載の椅子用乳幼児支持具。
【請求項４】
前記開口部が、前記表布部材に設けられていることを特徴とする請求項１〜請求項３のいずれか１項に記載の椅子用乳幼児支持具。
【請求項５】
前記腹当て部の表布部材が、前記使用状態にて前記開口部を覆うフラップ部を備えていることを特徴とする請求項４に記載の椅子用乳幼児支持具。
【請求項６】
前記腹当て部には、前記裏返した状態で前記収納部表面に現れる輪状の持ち手部が前記袋部の内側に取り付けられていることを特徴とする請求項１〜請求項５のいずれか１項に記載の椅子用乳幼児支持具。
【請求項７】
前記腹当て部の裏布部材が、クッション部材を含むことを特徴とする請求項１〜請求項６のいずれか１項に記載の椅子用乳幼児支持具。
【発明の詳細な説明】
【０００１】
【発明が属する技術分野】
本発明は、乳幼児を大人用椅子に着座させる際に、その着座姿勢を安全に保持するための支持具に関するものである。
【０００２】
【従来の技術】
お座りができるようになったぐらいの乳幼児は、親に伴われて外出する機会も多くなるが、出先では大人用の椅子しかないこともある。このような場合に大人用椅子に着座させた状態で落下することなく安全に着座姿勢を保持できるような支持具が市販されている。
【０００３】
このような支持具としては、例えば、中央部を乳幼児の腹部に添えて両端部を椅子の背もたれの後側に回り込ませて連結する帯状のものがある。これらの支持具は、乳幼児を背もたれに括り付けて安定させるものである。このような帯状の支持具は、外出時に携帯できるように折り畳めるものが殆どである（例えば、特許文献１参照。）。
【０００４】
【特許文献１】
特開２００１−３４６６６２号公報
【０００５】
【発明が解決しようとする課題】
しかしながら、上記の如き従来の帯状支持具では、両端部に連結のためのバックルや貼り合わせファスナーなどが取り付けられていることから、外出時などの携帯の際に、単に折り畳んで鞄に入れるのでは、移動に伴って鞄内で折り畳み状態が崩れて鞄内の他の収容物と絡んだりして煩雑なるため、他の収納袋等が必要となる。
【０００６】
また、支持具自身に折り畳んで収納できる袋を縫いつけておくことも考えられるが、この場合、余分な布地部材等が必要であるだけでなく、使用時にはその収納袋が邪魔となってしまう。
【０００７】
本発明の目的は、上記問題点に鑑み、収納用に使用時に邪魔となるような部材を別に設けることなく、効率的で簡便な構成でありながら携帯が容易な椅子用乳幼児支持具を提供することにある。また、本発明は、簡便な構成ながらもより安全で快適な使用が可能となる椅子用乳幼児支持具の提供も目的とする。
【０００８】
【課題を解決するための手段】
上記目的を達成するため、請求項１に記載の発明に係る椅子用乳幼児支持具は、腹当て部と、該腹当て部の左右両側にそれぞれ取り付けられたベルトと、左右のベルトの各端部にベルトの長さ調節可能に取り付けられ、互いに解除可能に嵌合係止する止め具とを備え、椅子に着座させた乳幼児の腹部に前記腹当て部を添えて、所定長さに調節した前記左右のベルトをそれぞれ椅子の背もたれの後方に左右両側から回り込ませた状態で前記止め具を係止状態とすることによって、乳幼児を前記椅子の背もたれに括り付けて着座姿勢を保持する帯状の椅子用乳幼児支持具において、前記腹当て部は、使用状態において乳幼児の腹部に当接する裏布部材に表布部材が周縁で縫いつけられてこれら両布部材の間に袋部を形成していると共に、該袋部の内外面を裏返すことのできる開口部を有し、前記袋部の内外面を裏返した状態で内部に前記左右ベルトと前記止め具とを収納する収納部を形成するものである。
【０００９】
また、請求項２に記載の発明に係る椅子用乳幼児支持具は、請求項１に記載の椅子用乳幼児支持具において、前記開口部には、前記使用状態における袋部と前記裏返し状態における収納部との双方を開閉可能に閉じることのできるファスナー手段が設けられているものである。
【００１０】
さらに、請求項３に記載の発明に係る椅子用乳幼児支持具は、請求項２に記載の椅子用乳幼児支持具において、前記ファスナー手段が、表面側と裏面側の両側からスライダーをスライドできる引き手機構を備えたスライドファスナーであることを特徴とするものである。
【００１１】
また、請求項４に記載の発明に係る椅子用乳幼児支持具は、請求項１〜請求項３のいずれか１項に記載の椅子用乳幼児支持具において、前記開口部が、前記表布部材に設けられているものである。
【００１２】
また請求項５に記載の発明に係る椅子用乳幼児支持具は、請求項４に記載の椅子用乳幼児支持具において、前記腹当て部の表布部材が、前記使用状態にて前記開口部を覆うフラップ部を備えているものである。
【００１３】
また、請求項６に記載の発明に係る椅子用乳幼児支持具は、請求項１〜請求項５のいずれか１項に記載の椅子用乳幼児支持具において、前記腹当て部には、前記裏返した状態で前記収納部表面に現れる輪状の持ち手部が前記袋部の内側に取り付けられているものである。
【００１４】
さらに請求項７に記載の発明に係る椅子用乳幼児支持具は、請求項１〜請求項７のいずれか１項に記載の椅子用乳幼児支持具において、前記腹当て部の裏布部材が、クッション部材を含むことを特徴とする。
【００１５】
【発明の実施の形態】
本発明は、お座りができるようになったぐらいからの乳幼児を大人用の椅子でもその背もたれに括り付けて着座姿勢を保持することのできる帯状の椅子用乳幼児支持具であって、椅子に着座させた乳幼児の腹部に腹当て部を添えて、この腹当て部の左右両側に取り付けられたベルトをそれぞれ適度に長さ調節して椅子の背もたれの後方に左右両側から回り込ませた状態で左右ベルト端部の止め具を係止状態とするものである。
【００１６】
本発明においては、腹当て部が、使用状態において乳幼児の腹部に当接する裏布部材に表布部材が周縁で縫い付けられてこれら両布部材の間に袋部が形成され、またこの袋部が開口部を有するものであるため、使用中に、この袋部の中にハンカチやポケットティッシュなどを収納するポッシェトとして利用することができる。
【００１７】
また、本発明における腹当て部は、前記開口部で袋部の内外面を裏返した状態で内部に左右ベルトと止め具とを収納する収納部を形成するものである。即ち、本発明の椅子用乳幼児支持具は、使用状態においてはポシェットのように種々の小物を入れられる袋部を有する腹当て部自体が、非使用状態においてベルトや止め具等をまとめてコンパクトに収納できる収納部を提供するものである。
【００１８】
従って、本椅子用乳幼児支持具は、腹当て部自体が、使用時に邪魔となるような収納用の部材を別途に設ける必要もなく、共通の構成部材で使用状態においてはポシェットとなりまた非使用時にはベルトや止め具などの付属品とともに全体をコンパクトのまとめた状態で収納できる収納部となる二つの機能を有し、非常に効率的で携帯に簡便な構成を備えたものである。また、このようなコンパクトにまとまられて収納状態であれば、次の使用、携帯の時までの間、大きな場所を取ることなく仕舞っておける。
【００１９】
なお、本発明における腹当て部の開口部は、袋部を裏返せるものであって、袋部の中に小物を入出でき、裏返し状態での収納部の中に左右ベルトや止め具を入れられるものであればよく、その形状は収納物が落ちにくいように内部が露呈しない例えばスリット状のものなどが好ましいが、この開口部にファスナー手段を設けて開閉可能に閉じられるものとするのがより望ましい。
【００２０】
このファスナー手段によって開口部を閉じられれば、使用状態における袋部内に各種小物を入れた場合にもこれら小物が外へ落ちてしまうこともなく、また袋部を裏返した状態における収納部内に折り畳んでまとめて入れた左右ベルトや止め具などが飛び出してしまうことなくきれいに納められた状態が維持できる。この場合、ファスナー手段には、同一部材を兼用して使用状態における袋部と裏返し状態における収納部との双方を開閉可能に閉じることのできるものであればよい。
【００２１】
具体的なファスナー手段としては、スライドファスナーや面ファスナー、スナップファスナー、ボタンやホックを用いたものなど、表裏布部材に貼付したり縫いつけたりできるものが広く利用できる。なかでも、スライドファスナーを用いれば、開口部全幅に亘って確実に閉じることができる。
【００２２】
スライドファスナーを用いる場合、使用状態における袋部の開口部開閉と裏返し状態における収納部との開口部開閉のどちらもできるように、表面側と裏面側の両側からスライダーをスライドできる引き手機構とすれば良い。一般的なスライドファスナーの引き手機構では、ファスナーの表面側と同じ側のスライダー表面にリング状部が形成されており、このリング状部に指で挟持して引っ張るための引き手部材の一端が連結されている。
【００２３】
そこで、ファスナーの表裏どちら側からでもスライダーをスライドさせられる引き手機構としては、例えば、通常のファスナーと同様にスライダー表面のリング状部に連結された一つの引き手部材を設けるのに加え、ファスナーの裏面側、即ち腹当て部を裏返した状態で表に現れる面側と同じ側のスライダー裏面にもリング状部を形成し、もう一つ別の引き手部材をこの裏側リング状部に連結して設けておく機構が挙げられる。また、スライダーの表面側から裏面側に掛けてまたがる一つのリング状部を設け、このリング状部に一つの引き手部材を連結させ、この引き手部材がリング状部に沿ってスライダーの表側から裏側へ回り込むことができるものでも良い。
【００２４】
また、本発明における腹当て部の開口部は、表布部材や裏布部材、あるいは両部材の周縁部の一部を縫い付けずにおいた境目など、様々な部位に設けることが可能である。しかしながら、使用状態において袋部内へ小物を出し入れする作業性から見れば、表布部材に開口部を設ける構成とするのが最も簡便である。この場合、開口部は、表布部材を上下に分かれた二部材とし、その上下布部材の互いに突き合う端縁部同士間に形成されるスリット状部から構成できる。
【００２５】
このような開口部が特に表布部材に設けられる場合には、使用状態において開口部を覆うフラップ部を表布部材に設けておくのが好ましい。このフラップ部で開口部を覆うことによって、使用状態において開口部にファスナー部材を取り付けていなくても中のものが出て落ちるのを防いだり、開口内に食べこぼした食物等が入りのを防ぐことができ、また乳幼児が勝手に開口部に手を入れて中のものを取出して落としたりすることも防止できる。また例えばこの開口部にスライドファスナーが取り付けられている場合に、引き手部材を引っ張ってファスナーを開けたり閉めたりして指を挟んだりのを防ぐことができるので、本椅子用乳幼児支持具の使用がより安全性の高いものとなる。またファスナー部のゴミ等の挟まりや汚れも防ぐことができるので、ファスナーが故障しにくい。
【００２６】
また、本発明の椅子用乳幼児支持具では、裏返した状態で収納部表面に現れる輪状の持ち手部を腹当て部の袋部内側に取り付けることによって、収納状態での携帯がより便利となる。この持ち手部は、使用状態においては袋部内に納まっているので邪魔にならない。
【００２７】
また、腹当て部の裏布部材は、一枚布でも袋部は構成できるが、使用時には乳幼児の腹部に当たるものであるため、安全で快適な使用感のものが望ましい。例えば、表布部材と同一素材で、軽量で薄い布地同士の間にクッション製のあるウレタン芯材を挟んだ三層構造のものなど、クッション部材を含むものが挙げられる。またこの場合、体に沿う側の布地をメッシュ布にするなど、腹当て部が滑ったりずれたりし難い素材とするのが好ましい。
【００２８】
また、本発明におけるベルトの止め具としては、左右ベルトの長さを調節できると共に、解除可能にベルト端部同士を確実に連結できる嵌合係止機構を備えたものであれば広く利用可能であるが、乳幼児を座らせながら操作しなければならず、できるだけ短時間で安全に装着を完了させることが必要であるため、簡便な操作で連結、解除できる機構のものが望ましい。例えば、プラスチック製のいわゆるワンタッチバックルが、操作が簡単であっても連結は強固で且つ部材が安価で軽量であるので、携帯用の椅子用乳幼児支持具の止め具として好適である。
【００２９】
ワンタッチバックルは、筐体状で左右両側に開口のある差込口と、この差込口にさし込まれて各先端部が各開口に嵌合係止する左右一対の係止杆が突設された差込体とから構成されているものが一般的である。これら差込口と差込体のそれぞれにはベルトを取り付けるための環状部が形成されており、各環状部の中央にはベルトが引っ掛けられて折り返される折返杆が横架されている。
【００３０】
この折返杆の引っ掛かりを緩めて折返杆に当接するベルト部位をずらせば、ベルトの長さ調節ができる。なお、使用状態において、ベルトの引っ掛かり部位がずれて緩まないように、各折返杆には、滑り止めとして、表面凹凸形状を設けておくことが好ましい。
【００３１】
【実施例】
本発明の一実施例として、腹当て部の表布部材にスライドファスナーで開閉される開口部を設けた椅子用乳幼児支持具を図１〜図４をもって以下に説明する。図１は、使用状態での本支持具の概略構成図であり、図２は本支持具を用いて乳幼児を大人用椅子に括り付けた状態を示す斜視図である。図３は、本支持具の装着の過程を示す説明である。図４は、本支持具を携帯用の収納状態へ移行する過程を示す説明図である。
【００３２】
本実施例による椅子用乳幼児支持具１は、主に、椅子１１に着座させた乳幼児１０の腹部に添える略長方形状の腹当て部２と、この腹当て部２の左右両側に取り付けられたベルト（３ａ，３ｂ）と、これら左右のベルト（３ａ，３ｂ）を椅子１１の背もたれの後方に左右両側から回り込ませた状態で互いに連結するために左右ベルト端部に取り付けられた止め具としてのワンタッチバックル４から構成されるものである。
【００３３】
本支持具の腹当て部２は、使用状態において乳幼児の腹部に当接する裏布部材６に表布部材５が周縁で縫い付けられていると共に該表布部材５の長手方向に沿ったほぼ全幅に亘って取り付けられたスライドファスナー７によって両布部材間に開閉可能な袋部が形成されるものである。
【００３４】
なお、腹当て部２の裏布部材６は、椅子の背もたれに括られた使用状態において、乳幼児の腹部に直接当たって圧迫が生じる部分であるため、より安全で快適な使用感となる材質で構成するのが望ましい。そこで、本実施例では、例えば、クッション製のあるウレタン芯材を薄いポリエステル生地とポリエステル製メッシュ布の間に挟んだ三層構造のものとした。
【００３５】
このような三層構造の裏布部材６を用いれば、そのクッション製により、乳幼児の腹部への圧迫感が軽減されると共に、メッシュ布の滑り止め効果により、使用状態における腹当て部２の位置ずれなどが防止され、より安全で快適な使用か得られる。
【００３６】
また、本実施例では、表布部材５を、上下二枚の布部材（５Ｘ，５Ｙ）で構成した。一方の上側布部材５Ｙは、下側布部材５Ｘに対して部分的に覆い被さるように重なる部分５Ｚを有しており、下側布部材５Ｘの上端縁と、上側布部材５Ｙの内側で前記上縁部付近の所定位置との間にスライドファスナー７が縫い止められている。
【００３７】
従って、このスライドファスナー７によって腹当て部２の袋部は開閉可能であると共に、上側布部材５Ｙの前記重なり部分がスライドファスナー７を覆い隠すフラップ部５Ｚとして機能する。
【００３８】
また、本支持具の腹当て部２の袋部は、内外面を裏返してなる裏返し袋部が内部に左右ベルト（３ａ、３ｂ）とワンタッチバックル４とが収納される収納部となる。このとき、スライドファスナー７の引き手機構を、袋部が裏返された状態でもスライドできるものとしたことによって収納部の開閉も可能としたものである。
【００３９】
即ち、スライドファスナー７のスライダーの表側に取り付けられている引き手部材８Ｘとは別に、スライダーの裏側にも、腹当て部２の袋部の内外面を裏返したときに表に現れるもう一つの引き手部材８Ｙを取り付けた。これにより、スライドファスナー７は、表側、裏側のどちら側からもスライダーをスライドさせて開閉することができるものである。
【００４０】
従って、前記裏返し状態においても、引き手部材８Ｙを引っ張ることにより、スライダーをスライドさせることができるので、腹当て部２の袋部の内外面裏返し状態で得られる収納部の開閉も、使用状態における袋部をポシェットとして開閉させるのと同一のスライドファスナー７を兼用させて行うことができる。
【００４１】
また、腹当て部２の両側に縫いつけられた左右のベルト（３ａ，３ｂ）は、それぞれの端部側がワンタッチバックル４を構成する差込口４ａと差込体４ｂに設けられている環状部に挿入され、環状部の折返杆に引っ掛けられて折り返されることにより、それぞれ差込口４ａと差込体４ｂとが各ベルト端部に長さ調節可能に取り付けられるものである。
【００４２】
なお、本実施例においては、腹当て部２の両側に、ベルト（３ａ，３ｂ）の他端部を直接縫いつけるのではなく、ベルトより幅広の略三角形状の布地（２０ａ，２０ｂ）を介在させた。これは、腹当て部２を小さくするほど裏返してベルト（３ａ，３ｂ）やワンタッチバックル４をまとめて納めた収納状態をよりコンパクトにできるが、それに伴って乳幼児の腹部に沿わせて保持する当接面が小さくなってしまうことから、この布地部分を設けることによって良好に乳幼児を保持するのに必要な大きさの当接面を確保するためである。即ち、この布地部分で保持当接面を補足することによって、腹当て部２の方は、ベルト（３ａ，３ｂ）やワンタッチバックル４を収納するのに最小限必要な大きさに抑えることができ、収納サイズをより携帯に便利なように小さめに設定できる。
【００４３】
以上の構成を備えた本実施例の椅子用乳幼児支持具１の使用時の装着は以下の手順で行える。まず、左右のベルト（３ａ，３ｂ）を差込口４ａと差込体４ｂの各環状部の折返杆で適度な長さに調整しておいてから、図３（ａ）に示すように、お座りのできる乳幼児１０を大人用椅子１１に着座させ、椅子の背もたれにもたれ掛けさせた状態で、腹部に裏布部材側を当てて腹当て部２を添わせる。
【００４４】
次いで、図３（ｂ）に示すように、その両側のベルト（３ａ，３ｂ）を左右両側から背もたれの後方へ回りこませて差込体４ｂを差込口４ａに差し込んで嵌合係止状態を得る。このワンタッチバックル４の嵌合係止による左右ベルト（３ａ，３ｂ）の連結が完了したら、図３（ｃ）に示すように、乳幼児１０が苦しくない程度でたるみがなくなるようにベルト（３ａ，３ｂ）の長さを調節する。
【００４５】
以上の手順で装着が完了したら、図２に示すように、本支持部１の使用状態において、腹当て部２の表布部材５が表面側に現れているため、スライドファスナー７を開閉して袋部の中にハンカチやポケットティッシュなどを収納するポッシェトとして利用することができる。このとき、フラップ部５Ｚがスライドファスナー７を覆い隠しているので、乳幼児１０が勝手にファスナー７を開けて中のものを落としたり、指を挟むような危険が回避される。
【００４６】
装着が外された非使用時には、以下のような手順でコンパクトのまとめた収納状態が得られる。まず、図４（ａ）に示すように、腹当て部２の表布部材５の側からスライドファスナー７を開ける。裏布部材６の使用状態における腹部当接面が内部底面になるように、下側布部材５Ｘと上側布部材５Ｙとをそれぞれ裏側にひっくり返すことによって、袋部の内外面が裏返され、この裏返された状態の袋部内の四隅を押し出すように整えると、図４（ｂ）に示すように収納部が形成される。
【００４７】
この時、左右ベルト（３ａ，３ｂ）は、袋部が裏返されると同時に腹当て部２に縫いつけられている他端部側が収納部の内部に入ることになり、ワンタッチバックル４が取り付けられている側が収納部から外へ飛び出す状態となっている。
【００４８】
そこで、図４（ｃ）に示すように、ベルト（３ａ，３ｂ）のバックル側を折り畳んで該バックル４と共に収納部内に入れて納める。そして、使用状態において下側布部材５Ｘに覆い被さって重なっていたフラップ部５Ｚを、今度は裏返った状態の下側布部材５Ｘの下側に重ねて、前記袋部の裏返しと同時に表側に現れた引き手部材８Ｙを持ってスライダーをスライドさせれば、スライドファスナー７は閉まり、図４（ｄ）に示すように、収納部が閉じられて本支持具１の収納完了状態が得られる。
【００４９】
なお、本実施例では、輪状の持ち手部９を、裏布部材６の使用状態において袋部内の底となる面の一端側に取り付けてある。これによって、この持ち手部９は、前記裏返した際に表面に現れ、収納完了状態においてコンパクトにまとめられた本支持具１を掴んで運ぶのに利用でき、本支持具１をより携帯し易いものとしなる。
【００５０】
以上の実施例では、腹当て部が略長方形状のものの場合を示したが、本発明は、腹当て部が種々の形状のものでも有効であることはいうまでもない。また、椅子用乳幼児支持具としては、主に腹当て部が支持部となるが、より確実な支持状態を得るものとして、ずり落ちを防止するために両足を通して股部を支持する足通しベルト付股当て部を腹当て部の下方に設けたものがある。本発明の椅子用乳幼児支持具では、腹当て部の袋部の裏返しに支障を与えず、この裏返し状態における収納部内に収納できるものであれば、このような足通しベルト付股当て部がさらに設けられた構成のものでも有効である。
【００５１】
また、以上の実施例では、本支持具の止め具として、ワンタッチバックルを用いた場合を示したが、本発明における止め具には、左右のベルト同士を長さ調整可能に連結できるとともに、その連結、解除が容易な操作で行えるものであれば広く利用可能である。ただし、より軽量で安価な部材であることが好ましく、その点で、プラスチック製のワンタッチバックルは、本発明における椅子用乳幼児支持具の止め具として最適なものに一つである。
【００５２】
また、装着時の左右ベルトの長さを調節する煩雑な手間を省くために、例えば、ゴム素材に布地を被せたものなど、ベルト自体を伸縮性のある部材で構成しても良い。
【００５３】
【発明の効果】
以上説明したとおり、本発明によれば、使用時に邪魔となるような収納用の部材を別途設ける必要なく、腹当て部自体が、共通の構成部材で使用状態においてはポシェットとなりまた非使用時にはベルトや止め具などの付属品とともに全体をコンパクトのまとめた状態で収納できる収納部となる二つの機能を有し、非常に効率的で携帯に簡便な椅子用乳幼児支持具が得られるという効果がある。
【００５４】
また、本発明において、腹当て部を構成する裏布部材をクッション部材を含むものとする、また表布部材にスライドファスナーを覆うフラップ部を設けることによって、より安全で快適な使用感に優れた椅子用乳幼児支持具が得られるという効果がある。
【図面の簡単な説明】
【図１】本発明の一実施例による椅子用乳幼児支持具の構成を示す使用状態での本支持具の概略構成図である。
【図２】本椅子用乳幼児支持具を用いて乳幼児を大人用椅子に括り付けた状態を示す斜視図である。
【図３】本椅子用乳幼児支持具の装着の過程を示す説明である。
【図４】本椅子用乳幼児支持具を収納状態へ移行する過程を示す説明図である。
【符号の説明】
１：椅子用乳幼児支持具
２：腹当て部
３ａ，３ｂ：ベルト
４：ワンタッチバックル
４ａ：（ワンタッチバックルの）差込口
４ｂ：（ワンタッチバックルの）差込体
５：表布部材
５Ｘ：下側布部材
５Ｙ：上側布部材
５Ｚ：フラップ部（上側布部材の重なる部分）
６：裏布部材
７：スライドファスナー
８Ｘ，８Ｙ：引き手部材
９：持ち手部
１０：乳幼児
１１：椅子
２０ａ，２０ｂ：略三角形状布地
【図１】
2005021241.tif 000003
【図２】
2005021241.tif 000004
【図３】
2005021241.tif 000005
【図４】
2005021241.tif 000006